(57)【特許請求の範囲】
【請求項１】
記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置において、
前記製版台に対して着脱可能に取り付けられ、所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材と、からなるアタッチメントを設けたことを特徴とする製版装置。
【請求項２】
前記押圧係止部材に、前記透光性カバーを押圧係止するためのカム部を形成するとともに、
前記透光性カバーに、前記押圧係止部材が回動されたときに、押圧係止部材のカム部が進入して連続的に透光性カバーを押圧するための傾斜溝を形成したことを特徴とする請求項１に記載の製版装置。
【請求項３】
前記トレーを、前記光源により発せられた光を反射するように形成したことを特徴とする請求項１又は請求項２に記載の製版装置。
【請求項４】
記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置における前記製版台に対して着脱可能に取り付けられる製版装置用アタッチメントであって、
所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材と、を備えたことを特徴とする製版装置用アタッチメント。
【発明の詳細な説明】
【０００１】
【発明の属する技術分野】
本発明は、記録媒体を載置するための製版台が設けられた基台と、その基台に対して開閉可能に取り付けられ、光源及び所定の画像が形成される孔版原紙を装着し得る蓋体とを備え、前記蓋体を閉塞することにより前記光源が閃光したときに、記録媒体に形成された画像を孔版原紙に製版し得る製版装置、及びかかる製版装置に対して着脱可能に取り付けられる製版装置用アタッチメントに関するものである。
【０００２】
【従来の技術】
従来から、記録媒体に形成された画像を孔版原紙に製版し得る製版装置として、いわゆる閃光式感熱複写方式を用いたものが広く知られている。この方式では、一般に、製版台上に、記録媒体、所望の画像に応じたインク滲出部を有する孔版原紙、透明板を順に重ね合わせて上方から押圧し、互いに密着させた状態にて光源を閃光させることにより、記録媒体に含まれる光吸収性物質が光エネルギーを吸収して熱エネルギーに変換し、その熱により孔版原紙との接触部に穴が開き、その部分がインク滲出部となって、画像が形成される。
【０００３】
かかる方式により孔版原紙に製版する場合、記録媒体と孔版原紙とは、転写面積全体に亘って確実に接触していることが必要であるが、具体的な圧力値としては、２００〜３００ｇ／cm2程度で十分である。この程度の圧力下において光源を閃光させたとしても、孔版原紙の画像は殆どの場合途切れることなく記録媒体に転写される。
【０００４】
一方、本出願人は、所定の印像が形成された原稿シート及びその印像に基づいた印面が形成されるスタンプ用基板を重ねて配置した状態で、光源を閃光させることによりスタンプ版を作成する製版装置として、特開平１１−７７９４７号公報に示されるものを提案した。この製版装置では、製版装置本体の側面開口部に水平方向に挿抜可能なトレイが設けられている。そして、このトレイの基体上に、原稿シート及びスタンプ用基板を重ねて配置した状態で押圧板を寝かせるように被せ、基体の一端部に回動可能に装着された係合体を垂直状に立て起こしたとき、係合体の下端部に形成された係合部が押圧板の一端部に形成された突起部と係合して押圧板が押圧され、その押圧板により原稿シート及びスタンプ用基板が基体に向かって押圧される。
【０００５】
かかる製版装置によりスタンプ版を作成する場合、スタンプ用基板に対して十分な圧力がかかった状態で、光源を閃光させる必要がある。これは、スタンプ用基板は多孔性樹脂により形成されているため、スタンプ用基板の表面が押圧されてある程度気孔が押し潰された状態でないと、光源が閃光されたときに、光が照射された部分の溶融変形が促進されないからである。従って、図９に示すように、スタンプ用基板が多孔性樹脂により形成されている場合、光源の閃光時には、少なくとも１０％以上、好ましくは２０％以上圧縮されている必要があり、そのための具体的な圧力値としては、２５００ｇ／cm2程度が望ましい。
【０００６】
このように、スタンプ版を作成する製版装置では、上記閃光式感熱複写方式による製版装置の場合と比較して、著しく高い圧力でスタンプ用基板を押圧することができる構成を必要とするものである。
【０００７】
【発明が解決しようとする課題】
しかしながら、上記の前者の製版装置においては、孔版原紙の画像を途切れることなく記録媒体に転写するために、孔版原紙と記録媒体とを転写面積全体に亘って確実に接触させることができれば十分であり、製版台上の記録媒体を高い圧力で押圧することができないため、そのままではスタンプ版の作成に転用することができないという問題があった。
【０００８】
また、上記の後者の製版装置においては、スタンプ用基板を高い圧力で押圧することができるものの、トレイの基体上に配置されたスタンプ用基板に押圧板を被せ、係合体を垂直状に立て起こすことにより押圧する構成であるため、スタンプ用基板を押圧した状態ではトレイ全体の高さが高くなる。従って、開閉可能な蓋体を閉塞した時に、光源を閃光させ、製版台に載置された記録媒体の画像を蓋体に装着された孔版原紙に製版する構成の製版装置には、応用することができないという問題があった。
【０００９】
本発明は、上記のような問題点を解決するためになされたものであり、開閉可能な蓋体を閉塞することにより光源を閃光させて、記録媒体の画像を製版装置に製版することができると共に、原稿シートの印像に基づく印面をスタンプ用基板に形成することができる製版装置、及びかかる製版装置に対して着脱可能に取り付けられる製版装置用アタッチメントを提供することを目的とするものである。
【００１０】
【課題を解決するための手段】
上記のような課題を解決するために、請求項１に係る発明の製版装置は、記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置において、前記製版台に対して着脱可能に取り付けられ、所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材と、からなるアタッチメントを設けたものである。
【００１１】
また、請求項２に係る発明の製版装置は、請求項１に係る発明の製版装置において、前記押圧係止部材に、前記透光性カバーを押圧係止するためのカム部を形成するとともに、前記透光性カバーに、前記押圧係止部材が回動されたときに、押圧係止部材のカム部が進入して連続的に透光性カバーを押圧するための傾斜溝を形成したものである。
【００１２】
また、請求項３に係る発明の製版装置は、請求項１又は請求項２に係る発明の製版装置において、前記トレーを、前記光源により発せられた光を反射するように形成したものである。
【００１３】
また、請求項４に係る発明の製版装置用アタッチメントは、記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置における前記製版台に対して着脱可能に取り付けられる製版装置用アタッチメントであって、所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材とを備えたものである。
【００１４】
【発明の実施の形態】
以下、本発明を具体化した実施形態について説明する。まず、本発明の製版装置１の全体構造について、図１を参照して説明する。図１は、製版装置１の全体構造を示す斜視図である。
【００１５】
本発明の製版装置１は、記録媒体（図示しない）を載置するための製版台１３が設けられた基台３と、その基台３の後端部に形成された蓋体支持部１４に挿通されたシャフト５を介して開閉可能に軸支された蓋体２と、製版台１３に対して着脱可能に取り付けられるアタッチメント４とから構成されている。なお、基台３及び蓋体２は合成樹脂材料にて形成されている。
【００１６】
基台３のほぼ中央部に配設された製版台１３は、記録媒体のサイズに合わせた大きさで、スポンジ等の弾性を有する材質により形成され、その表面には、載置される記録媒体の滑りを防止するためのゴム板（図示しない）が貼着されている。従って、製版台１３に載置された記録媒体は、上方から押圧されると沈降可能に支持される。また、基台３の前端部のコーナー付近には、蓋体２が閉塞されたときに、蓋体２の取り付け部を基準とした前端部に設けられた２つのスイッチ１０（後述する）を押圧して作動させるための円柱状の突起部１１が一対設けられている。
【００１７】
蓋体２は、光源としてのフラッシュバルブ６と、所定の画像が形成される孔版原紙（図示しない）を着脱可能に装着し得るものである。蓋体２のほぼ中央部には、前記基台３の製版台１３に対応するように、フラッシュバルブ６から照射された光が通過するための開口１６が形成されている。そして、蓋体２の開口１６の周囲には段差部１５が形成され、その段差部１５には透明なアクリル樹脂製の光透過板９がはめ込まれている。また、蓋体２の基台３に対向する面の反対側の面であって、開口１６に対応する位置には、下面が開放された中空の略四角台形状のランプハウジング７が着脱可能に装着されている。ランプハウジング７の上面中央部の２箇所にはソケット１７が形成され、ソケット１７にはフラッシュバルブ６が下向きに着脱可能に取り付けられている。ランプハウジング７の内周面は、適宜の光反射率を有する反射面８として形成されている。
【００１８】
蓋体２の取り付け部を基準とした前端部には、フラッシュバルブ６を閃光させるための電源である乾電池（図示しない）を収納するための乾電池収納部１２が設けられている。また、蓋体２の前端部のコーナー付近であって、基台３に設けられた突起部１１に対向する位置には、蓋体２が閉塞されたときに、突起部１１により押圧されてフラッシュバルブ６を閃光させるように作動するスイッチ１０が２つ設けられている。また、詳細には図示しないが、蓋体２の基台３に対向する面における開口１６の周囲には、周知の方法により所定の画像に応じたインク滲み出し部が形成される孔版原紙（図示しない）を着脱可能に支持するためのホルダーが複数箇所に設けられている。
【００１９】
ここで、上記のような構成を有する本発明の製版装置１による製版作用について、簡単に説明する。基台３の製版台１３上に、記録媒体を載置し、取っ手２Ａを掴んで孔版原紙が装着された蓋体２を閉塞するように回動すると、蓋体２に押圧されて記録媒体と孔版原紙が密着される。さらに、蓋体２を回動すると、製版台１３が圧縮され、基体３に設けられた突起部１１により蓋体２に設けられたスイッチ１０が作動し、フラッシュバルブ６を閃光させる。すると、記録媒体に含まれる光吸収性物質が光エネルギーを吸収して熱エネルギーに変換し、その熱により孔版原紙との接触部に小孔が開き、その部分がインク滲出部となる。このようにして、記録媒体に形成された画像を孔版原紙に製版し得るものである。
【００２０】
次に、本発明の製版装置１に装着されるアタッチメント４の構造について、図２、図３及び図４を参照して説明する。図２は、製版装置用アタッチメント４の全体構造を示す斜視図であり、図３は、製版装置用アタッチメント４の各部の構造を示す分解斜視図であり、図４（Ａ）は透光性カバー３７に形成された押圧係止レバー嵌合部４４付近の構造を示す拡大斜視図であり、図４（Ｂ）は押圧係止レバー３６に形成されたカム部４５付近の構造を示す拡大斜視図である。
【００２１】
図２及び図３に示すように、アタッチメント４は、製版装置１の基台３に設けられた製版台１３に対して着脱可能に取り付けられるトレー３０と、トレー３０の上面を被覆する透光性カバー３７と、透光性カバー３７をトレー３０に対して押圧しながら係止する押圧係止レバー３６とから構成されている。
【００２２】
トレー３０は、公知の方法により予め所定の印像が形成された原稿シート６２及びフラッシュバルブ６が閃光することにより原稿シート６２の印像に基づいた印面が形成されるスタンプ用基板６０が重ねて配置されるものである。このトレー３０は、ステンレス板等の材質により形成され、その表面はフラッシュバルブ６の閃光により照射された光を反射することができるようになっている。これは、フラッシュバルブ６から発せられた光を効率的に利用するためである。なお、本実施形態では、光沢を有するステンレス板をそのまま用いているが、トレーの表面に研磨による鏡面仕上げを施したり、光反射性の塗料を塗布したり、メッキ処理を行うにしても良い。
【００２３】
トレー３０の中央部には、原稿シート６２及びスタンプ用基板６０を載置するためのスタンプ用基板載置部３１が、プレス加工によりほぼ正方形の凹部状に形成されている。また、基台３の蓋体取付部５を基準として、トレー３０の前端部及び後端部には、基台３の製版台１３を前後から挟むように、取付部３４が下向きの垂直状に折曲形成されている。この取付部３４を製版台１３に係止することにより、トレー３０は製版台１３に対して前後方向に固定された状態となる。なお、トレー３０は製版台１３に対して左右方向に移動可能であるが、実際の取り付けに際しては、左右方向においても製版台１３のほぼ中央部に取り付けることが望ましい。そうでないと、フラッシュバルブ６が閃光したときに載置されたスタンプ用基板６０に対して均等に光が照射されず、適切に印面が形成できないおそれがあるからである。
【００２４】
基台３の蓋体取付部５を基準として、トレー３０の左端部及び右端部には、トレー３０の上面に載置された透光性カバー３７を左右から挟むように、透光性カバー支持部３３が上向きの垂直状に折曲形成されている。また、透光性カバー支持部３３の近傍であって、トレー３０の上面の前後方向における中央部には、透光性カバー３７に形成された開口３９に挿入される突起部３２が設けられている。これらの透光性カバー支持部３３及び突起部３２により、上方からトレー３０に載置された透光性カバー３７は、前後左右方向に固定された状態となる。
【００２５】
トレー３０の前縁部及び後縁部の左右方向における中央部には、一対の押圧係止レバー３６がトレー３０に対して水平方向に回動可能に取り付けられている。具体的には、押圧係止レバー３６の回動中心部分に開口形成されたネジ穴４０に、ネジ３５を上方から挿通した状態で、トレー３０に開設されたネジ穴（図示しない）にネジ３５を螺着することにより取り付けられる。この押圧係止レバー３６の回動中心部分は、透光性カバー３７が載置されたときに、透光性カバー３７の前端縁及び後端縁の中央部に形成された押圧係止レバー嵌合部４４に進入するようになっている。
【００２６】
押圧係止レバー３６は、透光性カバー３７をトレー３０に対して押圧しながら係止するものであり、合成樹脂材料により形成されている。押圧係止レバー３６は、上方から見て、回動中心から先端部に向かって段々細くなっていく略三角形状に形成されており、先端部を指で摘んで回動し得るようになっている。
【００２７】
図４（Ｂ）には、押圧係止レバー３６がトレー３０に対する取付状態とは上下逆の状態で示されているが、押圧係止レバー３６の回動中心付近には、透光性カバー３７と直接接触して押圧係止するためのカム部４５が形成されている。このカム部４５の先端部には、透光性カバー３７の凹部３８に設けられた傾斜溝４３の傾斜角度に合わせた傾斜部４５Ａが形成されている。また、押圧係止レバー３６のカム部４５に隣接して、トレー３０に透光性カバー３７を載置した状態で押圧係止レバー３６を回動して係止状態となったときに、透光性カバー３７に形成されたストッパ４２に当接してそれ以上の回動を禁止するための切欠部４１が形成されている。
【００２８】
図３に示すように、透光性カバー３７は、トレー３０上に重ねて配置されるスタンプ用基板６０、透明フィルム６１、原稿シート６２を上方から被覆するものである。透光性カバー３７は、フラッシュバルブ６から照射された光を透過して原稿シート６２及びスタンプ用基板６０に到達させるために、透明なアクリル樹脂により形成されている。なお、透光性カバー３７は、ポリスチレン樹脂やガラス等の透光性を有する材料により形成することもできる。透光性カバー３７は、後述する押圧係止レバー３６により、その前端部及び後端部が下方に押圧されるものであるから、押圧により変形しないように所定の厚みを有し、かつ正方形状に形成されている。
【００２９】
図３及び図４（Ａ）に示すように、透光性カバー３７の前端縁及び後端縁の中央部には、押圧係止レバー３６が透光性カバー３７を押圧係止し得る位置に進入するための押圧係止レバー嵌合部４４が形成されている。また、押圧係止レバー嵌合部４４の上方の一側には、押圧係止レバー３６の一部が進入し得る凹部３８が形成されている。この凹部３８は、押圧係止レバー嵌合部４４の周囲に形成され、押圧係止レバー３６が回動されたときに、押圧係止レバー３６のカム部４５が進入して連続的に透光性カバー３７を押圧するための傾斜溝４３と、押圧係止レバー３６の上縁部４７が進入する逃げ部４６とから構成される。
【００３０】
傾斜溝４３は、始端部４３Ｂから終端部４３Ｃに向かって漸次高くなるように緩やかな勾配を有して円弧状に形成されている。そして、透光性カバー３７がトレー３０に載置された状態において、傾斜溝４３の始端部４３Ｂの高さは、トレー３０に取り付けられた押圧係止レバー３６のカム部４５と同等以下の高さとなるように形成され、押圧係止レバー３６の回動が開始されたときにカム部４５が容易に進入し得るようになっている。また、傾斜溝４３の終端部４３Ｃの高さは、押圧係止レバー３６のカム部４５よりも高くなるように形成され、押圧係止レバー３６の回動が終了して透光性カバー３７を係止したときに十分な圧力でトレー３０に押圧し得るようになっている。なお、傾斜溝４３の終端部４３Ｃは、平面状の頂部４３Ａとして形成されている。そして、傾斜溝４３の終端には、垂直状にストッパ４２が形成されており、回動された押圧係止レバー３６に形成された切欠部４１と当接して、押圧係止レバー３６を押圧係止位置にて固定し、それ以上の回動を禁止し得るようになっている。
【００３１】
次に、本発明の製版装置に設けられるアタッチメントの作用について、図５、図６及び図７を参照して説明する。図５（Ａ）は透光性カバーを装着していない状態の製版装置用アタッチメントを示す平面図であり、図５（Ｂ）は透光性カバーを装着した状態の製版装置用アタッチメントを示す平面図であり、図５（Ｃ）は透光性カバーを装着して押圧係止レバーを回動した状態の製版装置用アタッチメントを示す平面図であり、図６（Ａ）は原稿シート及びスタンプ用基板を押圧していない状態の製版装置用アタッチメントを示す断面図であり、図６（Ｂ）は原稿シート及びスタンプ用基板を押圧している状態の製版装置用アタッチメントを示す断面図であり、図７（Ａ）は蓋体を開放した状態の製版装置を示す側面図であり、図７（Ｂ）は蓋体を閉塞した状態の製版装置を示す側面図である。
【００３２】
まず、図５（Ａ）に示すように、トレー３０に対して水平方向に回動可能に取り付けられた押圧係止レバー３６を、透光性カバー３７を上方から載置可能な位置に回動する。そして、図５（Ｂ）及び図６（Ａ）に示すように、トレー３０のスタンプ用基板載置部３１に、スタンプ用基板６０、透明フィルム６１、所定の印像６２Ａが形成された原稿シート６２を順に載置し、トレー３０の突起部３２に透光性カバー３７の開口３９を位置合わせした上で、透光性カバー３７を被覆する。さらに、図５（Ｃ）及び図６（Ｂ）に示すように、押圧係止レバー３６の先端部を指で摘んで、押圧係止レバー３６の切欠部４１が透光性カバー３７に形成されたストッパ４２に当接するまで、反時計方向に回動する。すると、押圧係止レバー３６のカム部４５が、透光性カバー３７の開放位置から係止位置まで傾斜溝４３上を摺動して透光性カバー３７を連続的に押圧し、最終的に透光性カバー３７をトレー３０に対して係止する。
【００３３】
このように、本発明では、押圧係止レバー３６を水平方向に回動することにより、透光性カバー３７を介してスタンプ用基板６０を押圧するようにしているので、スタンプ用基板６０を高い圧力で押圧した状態でも、アタッチメント４全体の高さは押圧前の状態とほぼ変わらない。従って、図７（Ａ）に示すように、製版装置１の蓋体２を開放して製版台１３にアタッチメント４を取り付けた後、図７（Ｂ）に示すように蓋体２を閉塞しても、アタッチメント４が邪魔になることはなく、基台３に突設された突起部１１により、蓋体２に設けられたスイッチ１０（図１参照）を確実に作動させ、フラッシュバルブ６を閃光させることができる。また、本発明では、押圧係止レバー３６を回動すると、カム部４５が透光性カバー３７の開放位置から係止位置まで傾斜溝４３上を摺動して透光性カバー３７を連続的に押圧するので、押圧係止レバー３６を回動するだけの小さな力で確実にスタンプ用基板６０を押圧することができる。
【００３４】
次に、本発明の印刷装置により行われるスタンプ作成方法について、図８を参照して説明する。図８（Ａ）はスタンプ用基板を示す斜視図であり、図８（Ｂ）はスタンプ用基板と透明フィルムと原稿シートと透光性カバーを積層する状態を模式的に示す側面図であり、図８（Ｃ）は積層されたスタンプ用基板と透明フィルムと原稿シートと透光性カバーに対して光を照射した状態を模式的に示す側面図であり、図８（Ｄ）は印面が形成されたスタンプ用基板と透明フィルムと原稿シートとを模式的に示す側面図である。
【００３５】
スタンプ用基板６０は、連続気泡を有し、スタンプインキが含浸可能な多孔性材料に、カーボンブラック等の光エネルギー吸引性物質を分散させて含有するものである。基本となる材料は、ポリオレフィン系樹脂、ポリ塩化ビニル系樹脂、ポリウレタン樹脂等の発泡性樹脂材料で、多孔性シートに形成したとき可撓性（軟質性）を有することが好ましい。従って、製版前のスタンプ用基板６０の表面６０Ａには、図８（Ａ）に示すように、連続気泡の気孔が全面にわたって露出している。スタンプ用基板６０の厚さは、１mm〜５mm程度である。上記のように、光エネルギー吸引性物質を含有することにより、スタンプ用基板６０の表面側が加熱されると溶融されて表面に露出する気孔が閉塞される性質を備えることになる。そして、スタンプ用基板６０が押圧された状態で表面側が溶融された後、固化して表面に露出する気孔が閉塞し、インキ非滲出部６３となり、溶融しなかった部分は前記気孔が表面に露出したインキ滲出部６４となる。
【００３６】
原稿シート６２は、ＰＰＣ用紙（トレーシング用原稿紙）等の光透過性の用紙からなり、スタンプ作成前に、予めその表面に黒色、白色、金色、銀色等の任意の色彩の光非透過性のインキ、油性マーカ、ペイント、絵の具等で光非透過性の印像６２Ａを描いておく。
【００３７】
図８（Ｂ）に示すように、原稿シート６２を印像６２Ａが下になるようにして透明フィルム６１の表面に載置し、次いで、この原稿シート６２とスタンプ用基板６０の表面６０Ａとの間に透明フィルム６１を介在させ、三者を重ねて配置した後、原稿シート６２の上から透光性カバー３７を被覆する。そして、上記のように、押圧係止レバー３６を回動し、透光性カバー３７をトレー３０に対して押圧しながら係止させ、スタンプ用基板６０を圧縮する。その後、図８（Ｃ）に示すように、製版装置１の蓋体２を閉塞することにより、蓋体２に設けられたスイッチ１０を作動させ、フラッシュバルブ６を閃光させる。なお、この照射光中には赤外線成分が含まれている。
【００３８】
透明フィルム６０は、スタンプ用基板６０の融点（軟質ポリウレタン系樹脂の場合は約１２０℃、軟質ポリオレフィン系樹脂の場合は約７０℃である）より高い温度にて溶融する性質を有する。その実施例として高い融点（約２３０℃）を有する透明なＰＥＴ（ポリエチレンテレフタレート）樹脂フィルムが好ましく、その透明シート２２の厚さは、０．０２５mm〜０．２mm程度である。
【００３９】
このようにすると、原稿シート６２における印像６２Ａ以外の箇所を通過した光エネルギーは透明フィルム６１をそのまま通過し、その光エネルギーにてスタンプ用基板６０における印像６２Ａ以外の箇所に対応する表面付近のカーボンブラックが吸熱し、その部分の表面６０Ａは加熱されて溶融し、その後固化したときに表面の気孔が閉塞され、所定の厚さのインキ非滲出部６３が形成される（図８（Ｄ）参照）。他方、原稿シート６２は、その印像６２Ａがカーボンブラックを含む黒色の場合には、透光性カバー３７方向から照射した光エネルギーにて印像６２Ａ部分が加熱され、温度上昇するが、印像６２Ａに対応する部分の透明フィルム６１ではそのフィルムの厚み内の横方向等に熱伝導する。言い換えると、原稿シート６２側で発生した熱は、透明フィルム６１にて吸収・分散され、印像６２Ａに対応するスタンプ用基板６０の表面箇所は加熱されず、印像６２Ａの形状通りに気孔が露出してインキ滲出部６４となる（図８（Ｄ）参照）。また、印像６２Ａが黒色以外の場合には、光エネルギーが印像６２Ａにより遮断、反射され、印像６２Ａに対応するスタンプ用基板６０の表面箇所は加熱されず、気孔が露出したインキ滲出部６４となる。従って、この場合は、透明フィルム６１を必ずしも必要としない。
【００４０】
そして、フラッシュバルブ６の閃光後に、透光性カバー３７を取り外し、透明フィルム６１と原稿シート６２とをスタンプ用基板６０から除去すると、図８（Ｄ）に示すように、原稿シート６２における印像６２Ａに対応する部分のスタンプ用基板６０の気孔が露出したままでインキ滲出部６４となり、印像６２Ａに対応する部分以外の部分の気孔は閉塞されてインキ非滲出部６３となって、所定の印面を有するスタンプを作成することができる。
【００４１】
【発明の効果】
以上に説明したように、請求項１に係る発明の製版装置は、記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置において、前記製版台に対して着脱可能に取り付けられ、所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材と、からなるアタッチメントを設けたことにより、スタンプ用基板を高い圧力で押圧した状態でもアタッチメント全体の高さを抑えることができるので、開閉可能な蓋体を閉塞することにより光源が閃光したときに、基台に載置された記録媒体に形成された画像を蓋体に装着された孔版原紙に製版する構成の製版装置を用いてスタンプ版を作成することができるという効果を奏する。
【００４２】
また、請求項２に係る発明の製版装置は、請求項１に係る発明の製版装置と同様の効果を奏すると共に、前記押圧係止部材に、前記透光性カバーを押圧係止するためのカム部を形成するとともに、前記透光性カバーに、前記押圧係止部材が回動されたときに、押圧係止部材のカム部が進入して連続的に透光性カバーを押圧するための傾斜溝を形成したことにより、押圧係止部材を回動すると、カム部が透光性カバーの開放位置から係止位置まで傾斜溝上を摺動して透光性カバーを連続的に押圧するので、小さな力で確実にスタンプ用基板を押圧することができるという効果を奏する。
【００４３】
また、請求項３に係る発明の製版装置は、請求項１又は請求項２に係る発明の製版装置と同様の効果を奏すると共に、前記トレーを、前記光源により発せられた光を反射するように形成したことにより、光源から発せられた光を効率的に利用することができるので、消費電力を低減し、出力の小さい光源を用いることができるという効果を奏する。
【００４４】
また、請求項４に係る発明の製版装置用アタッチメントは、記録媒体を載置するための製版台が設けられた基台と、その基台に対して開閉可能に取り付けられ、光源及び所定の画像が形成される孔版原紙を装着し得る蓋体と、を備え、前記蓋体を閉塞することにより前記光源が閃光したときに、記録媒体に形成された画像を孔版原紙に製版し得る製版装置における前記製版台に対して着脱可能に取り付けられる製版装置用アタッチメントであって、所定の印像が形成された原稿シート及び前記光源が閃光することにより原稿シートの印像に基づいた印面が形成されるスタンプ用基板を重ねて配置するトレーと、そのトレー上に重ね配置された原稿シート及びスタンプ用基板を被覆する透光性カバーと、前記トレーに対して水平方向に回動可能に取り付けられ、前記透光性カバーをトレーに対して押圧しながら係止する押圧係止部材とを備えたことにより、スタンプ用基板を高い圧力で押圧した状態でもアタッチメント全体の高さを抑えることができるので、開閉可能な蓋体を閉塞することにより光源が閃光したときに、基台に載置された記録媒体の画像を蓋体に装着された孔版原紙に製版する構成の製版装置を用いてスタンプ版を作成することができるという効果を奏する。
【図面の簡単な説明】
【図１】製版装置の全体構造を示す斜視図である。
【図２】製版装置用アタッチメントの全体構造を示す斜視図である。
【図３】製版装置用アタッチメントの各部の構造を示す分解斜視図である。
【図４】（Ａ）は透光性カバーに形成された押圧係止レバー嵌合部付近の構造を示す拡大斜視図であり、（Ｂ）は押圧係止レバーに形成されたカム部付近の構造を示す拡大斜視図である。
【図５】（Ａ）は透光性カバーを装着していない状態の製版装置用アタッチメントを示す平面図であり、（Ｂ）は透光性カバーを装着した状態の製版装置用アタッチメントを示す平面図であり、（Ｃ）は透光性カバーを装着して押圧係止レバーを回動した状態の製版装置用アタッチメントを示す平面図である。
【図６】（Ａ）は原稿シート及びスタンプ用基板を押圧していない状態の製版装置用アタッチメントを示す断面図であり、（Ｂ）は原稿シート及びスタンプ用基板を押圧している状態の製版装置用アタッチメントを示す断面図である。
【図７】（Ａ）は蓋体を開放した状態の製版装置を示す側面図であり、（Ｂ）は蓋体を閉塞した状態の製版装置を示す側面図である。
【図８】（Ａ）はスタンプ用基板を示す斜視図であり、（Ｂ）はスタンプ用基板と透明フィルムと原稿シートと透光性カバーを積層する状態を模式的に示す側面図であり、（Ｃ）は積層されたスタンプ用基板と透明フィルムと原稿シートと透光性カバーに対して光を照射した状態を模式的に示す側面図であり、（Ｄ）は印面が形成されたスタンプ用基板と透明フィルムと原稿シートとを模式的に示す側面図である。
【図９】スタンプ用基板に印面を形成するために必要な印材圧縮量と光量の関係を示すグラフである。
【符号の説明】
１  製版装置
２  蓋体
３  基台
４  アタッチメント
６  フラッシュバルブ
１３  製版台
３０  トレー
３６  押圧係止レバー
３７  透光性カバー
４３  傾斜溝
４５  カム部
６０  スタンプ用基板
６２  原稿シート
【図１】
0004590725.tif 000002
【図２】
0004590725.tif 000003
【図３】
0004590725.tif 000004
【図４】
0004590725.tif 000005
【図５】
0004590725.tif 000006
【図６】
0004590725.tif 000007
【図７】
0004590725.tif 000008
【図８】
0004590725.tif 000009
【図９】
0004590725.tif 000010